(57)【要約】【課題】  第１の電子機器と当該第１の電子機器に接続された第２の電子機器とが通信不能に陥る事態を回避できるようにする。【解決手段】  外部機器（２００）が接続される電子機器（１００）は、前記外部機器と通信するための第１の通信手段と、電源からの電圧から、前記第１の通信手段の電源端子に供給される第１の電圧を生成する電圧変換手段と、第１の基準電圧を生成する第１の基準電圧生成手段と、前記第１の通信手段と通信するための第２の通信手段の電源端子に供給される第２の電圧から第２の基準電圧を生成する第２の基準電圧生成手段と、前記外部機器が前記電子機器に接続されている場合は、前記第２の基準電圧を用いて前記第１の電圧のレベルを調整することを前記電圧変換手段に行わせるように制御する制御手段とを有する。【選択図】  図１
2018143077.tif 000002
【特許請求の範囲】
【請求項１】
外部機器が接続される電子機器であって、
前記外部機器と通信するための第１の通信手段と、
電源からの電圧から、前記第１の通信手段の電源端子に供給される第１の電圧を生成する電圧変換手段と、
第１の基準電圧を生成する第１の基準電圧生成手段と、
前記第１の通信手段と通信するための第２の通信手段の電源端子に供給される第２の電圧から第２の基準電圧を生成する第２の基準電圧生成手段と、
前記外部機器が前記電子機器に接続されている場合は、前記第２の基準電圧を用いて前記第１の電圧のレベルを調整することを前記電圧変換手段に行わせるように制御する制御手段と
を有することを特徴とする電子機器。
【請求項２】
前記外部機器が前記電子機器に接続されていない場合、前記制御手段は、前記第１の基準電圧を用いて前記第１の電圧のレベルを調整することを前記電圧変換手段に行わせるように制御することを特徴とする請求項１に記載の電子機器。
【請求項３】
前記外部機器が前記電子機器に接続されている場合、前記電圧変換手段は、前記第２の基準電圧を用いて、前記第１の電圧のレベルが前記第２の電圧のレベルと同じにまたは同程度になるように前記第１の電圧のレベルを調整することを特徴とする請求項１または２に記載の電子機器。
【請求項４】
外部機器が接続される電子機器であって、
前記外部機器と通信するための第１の通信手段と、
電源からの電圧から、前記第１の通信手段の電源端子に供給される第１の電圧を生成する電圧変換手段と、
第１の基準電圧を生成する第１の基準電圧生成手段と、
前記第１の通信手段と通信するための第２の通信手段の電源端子に供給される第２の電圧から第２の基準電圧を生成する第２の基準電圧生成手段と
を有する前記電子機器の制御方法であって、
前記外部機器が前記電子機器に接続されている場合は、前記第２の基準電圧を用いて前記第１の電圧のレベルを調整することを前記電圧変換手段に行わせるように制御するステップ
を有することを特徴とする制御方法。
【請求項５】
外部機器が接続される電子機器としてコンピュータを機能させるためのプログラムであって、
前記コンピュータを、
前記外部機器と通信するための第１の通信手段と、
電源からの電圧から、前記第１の通信手段の電源端子に供給される第１の電圧を生成する電圧変換手段と、
第１の基準電圧を生成する第１の基準電圧生成手段と、
前記第１の通信手段と通信するための第２の通信手段の電源端子に供給される第２の電圧から第２の基準電圧を生成する第２の基準電圧生成手段と、
前記外部機器が前記電子機器に接続されている場合は、前記第２の基準電圧を用いて前記第１の電圧のレベルを調整することを前記電圧変換手段に行わせるように制御する制御手段
として機能させるためのプログラム。
【発明の詳細な説明】
【技術分野】
【０００１】
本発明は、外部機器と通信することができる電子機器、その制御方法およびプログラムに関するものである。
【背景技術】
【０００２】
特許文献１には、電源ユニットの出力電圧を適正な電圧に調整する方法が記載されている。特許文献２には、電源から負荷回路へ適切な電圧を供給する方法が記載されている。
【先行技術文献】
【特許文献】
【０００３】
【特許文献１】特開２０００−９９１６６号公報
【特許文献２】特開２０００−９９１７４号公報
【発明の概要】
【発明が解決しようとする課題】
【０００４】
第１の電子機器と第２の電子機器とを接続し、第１の電子機器の通信部である第１の通信部と第２の電子機器の通信部である第２の通信部との間でデータ通信を行う場合には、次のような問題がある。例えば、第１の通信部の電源端子に供給される電圧と第２の通信部の電源端子に供給される電圧とが大きく異なっていると、第１の通信部が送信または受信可能な信号の電圧範囲と第２の通信部が受信または送信可能な信号の電圧範囲とが一致しない場合がある。この場合、第２の通信部は第１の通信部が送信した信号を適切に処理できず、第１の通信部も第２の通信部が送信した信号を適切に処理できないため、第１の電子機器と第２の電子機器とは通信不能に陥ってしまう。このような問題は、特許文献１および２のいずれにおいても考慮されていない。
【０００５】
そこで、本発明は、第１の電子機器と当該第１の電子機器に接続された第２の電子機器とが通信不能に陥る事態を回避できるようにすることを目的とする。
【課題を解決するための手段】
【０００６】
本発明に係る電子機器は、外部機器が接続される電子機器であって、前記外部機器と通信するための第１の通信手段と、電源からの電圧から、前記第１の通信手段の電源端子に供給される第１の電圧を生成する電圧変換手段と、第１の基準電圧を生成する第１の基準電圧生成手段と、前記第１の通信手段と通信するための第２の通信手段の電源端子に供給される第２の電圧から第２の基準電圧を生成する第２の基準電圧生成手段と、前記外部機器が前記電子機器に接続されている場合は、前記第２の基準電圧を用いて前記第１の電圧のレベルを調整することを前記電圧変換手段に行わせるように制御する制御手段とを有することを特徴とする。
【０００７】
本発明に係る制御方法は、外部機器が接続される電子機器であって、前記外部機器と通信するための第１の通信手段と、電源からの電圧から、前記第１の通信手段の電源端子に供給される第１の電圧を生成する電圧変換手段と、第１の基準電圧を生成する第１の基準電圧生成手段と、前記第１の通信手段と通信するための第２の通信手段の電源端子に供給される第２の電圧から第２の基準電圧を生成する第２の基準電圧生成手段とを有する前記電子機器の制御方法であって、前記外部機器が前記電子機器に接続されている場合は、前記第２の基準電圧を用いて前記第１の電圧のレベルを調整することを前記電圧変換手段に行わせるように制御するステップを有することを特徴とする制御方法である。
【０００８】
本発明に係るプログラムは、外部機器が接続される電子機器としてコンピュータを機能させるためのプログラムであって、前記コンピュータを、前記外部機器と通信するための第１の通信手段と、電源からの電圧から、前記第１の通信手段の電源端子に供給される第１の電圧を生成する電圧変換手段と、第１の基準電圧を生成する第１の基準電圧生成手段と、前記第１の通信手段と通信するための第２の通信手段の電源端子に供給される第２の電圧から第２の基準電圧を生成する第２の基準電圧生成手段と、前記外部機器が前記電子機器に接続されている場合は、前記第２の基準電圧を用いて前記第１の電圧のレベルを調整することを前記電圧変換手段に行わせるように制御する制御手段として機能させるためのプログラムである。
【発明の効果】
【０００９】
本発明によれば、第１の電子機器と当該第１の電子機器に接続された第２の電子機器とが通信不能に陥る事態を回避することができる。
【図面の簡単な説明】
【００１０】
【図１】実施形態１における通信システムの構成の例を説明するためのブロック図である。
【図２】実施形態１における電子機器１００の動作例を説明するためのフローチャートである。
【図３】実施形態２における通信システムの構成の例を説明するためのブロック図である。
【発明を実施するための形態】
【００１１】
以下、図面を参照して本発明の実施形態を説明する。ただし、本発明は以下の実施形態に限定されるものではない。
【００１２】
［実施形態１］
図１は、実施形態１における通信システムの構成の例を説明するためのブロック図である。図１に示すように、実施形態１における通信システムは、電子機器１００（第１の電子機器または第１の通信装置に相当）と、外部機器２００（第２の電子機器または第２の通信装置に相当）とを有する。
【００１３】
電子機器１００は、例えば、撮像装置（例：デジタルカメラ）として動作可能な機器である。外部機器２００は、例えば、レンズユニットとして動作可能な機器である。外部機器２００は、電子機器１００に接続可能であり、電子機器１００から取り外し可能である。外部機器２００を電子機器１００に接続することにより、通信部１４０と通信部２３０とは通信ライン３００を介して通信可能になる。
【００１４】
図１を参照して、電子機器１００が有する構成要素の例を説明する。電子機器１００は、図１に示すように、電源１１０、電圧変換部１２０、比較器１２１、基準電圧生成部１２２、選択部１２３、抵抗１３０、抵抗１３１、通信部１４０、抵抗１５０、抵抗１５１および制御部１６０を有する。電圧変換部１２０は、比較器１２１、基準電圧生成部１２２および選択部１２３を有する。
【００１５】
図１を参照して、外部機器２００が有する構成要素の例を説明する。外部機器２００は、図１に示すように、電圧変換部２１０、比較器２１１、基準電圧生成部２１２、抵抗２２０、抵抗２２１および通信部２３０を有する。電圧変換部２１０は、比較器２１１および基準電圧生成部２１２を有する。
【００１６】
電源１１０は、電子機器１００の各構成要素および外部機器２００の各構成要素に電力を供給する電源（例：電池パック、ＡＣアダプタ）である。ただし、電源１１０は、電子機器１００に接続可能であり、電子機器１００から取り外し可能である。
【００１７】
通信部１４０は、通信ライン３００を介して通信部２３０と所定の通信規格に従ってデータ通信を行う。通信部１４０の電源端子に供給される電圧は、電圧変換部１２０により生成される。通信部２３０は、通信ライン３００を介して通信部１４０と所定の通信規格に従ってデータ通信を行う。通信部２３０の電源端子に供給される電圧は、電圧変換部２１０により生成される。
【００１８】
電圧変換部２１０は、電源１１０から電圧変換部２１０に供給された電圧から出力電圧Ｖｏｕｔ２を生成するＤＣＤＣコンバータとして動作する。出力電圧Ｖｏｕｔ２は、電力ラインを介して電圧変換部２１０から通信部２３０の電源端子および他の構成要素の電源端子に供給される。通信部２３０は、出力電圧Ｖｏｕｔ２を電源電圧として動作する。外部機器２００のタイプが第１のタイプである場合、出力電圧Ｖｏｕｔ２は例えば５Ｖ（または約５Ｖ）である。外部機器２００のタイプが第１のタイプとは異なる第２のタイプである場合、出力電圧Ｖｏｕｔ２は例えば３Ｖ（または約３Ｖ）である。このように、電圧変換部２１０で生成される出力電圧Ｖｏｕｔ２のレベルは、外部機器２００のタイプに応じて異なる。
【００１９】
抵抗２２０および２２１は、出力電圧Ｖｏｕｔ２をフィードバック電圧Ｖｆｂ２に分圧するための抵抗である。抵抗２２０および２２１により生成されたフィードバック電圧Ｖｆｂ２は、比較器２１１の第１の入力端子に供給される。このように、抵抗２２０および２２１は、出力電圧Ｖｏｕｔ２からフィードバック電圧Ｖｆｂ２を生成するフィードバック電圧生成部として動作する。
【００２０】
基準電圧生成部２１２は、基準電圧Ｖｒ２を生成する。基準電圧生成部２１２で生成された基準電圧Ｖｒ２は、比較器２１１の第２の入力端子に供給される。
【００２１】
比較器２１１は、フィードバック電圧Ｖｆｂ２と基準電圧Ｖｒ２とを比較し、比較結果を出力する。電圧変換部２１０は、比較器２１１が出力する比較結果により、電圧変換部２１０で生成される出力電圧Ｖｏｕｔ２のレベルを調整する。外部機器２００のタイプが第１のタイプである場合、電圧変換部２１０は、比較器２１１が出力する比較結果により、電圧変換部２１０で生成される出力電圧Ｖｏｕｔ２が例えば５Ｖ（または約５Ｖ）になるように調整する。外部機器２００のタイプが第２のタイプである場合、電圧変換部２１０は、比較器２１１が出力する比較結果により、電圧変換部２１０で生成される出力電圧Ｖｏｕｔ２が例えば３Ｖ（または約３Ｖ）になるように調整する。
【００２２】
電圧変換部１２０は、電源１１０から電圧変換部１２０に供給された電圧から出力電圧Ｖｏｕｔ１を生成するＤＣＤＣコンバータとして動作する。出力電圧Ｖｏｕｔ１は、電力ラインを介して電圧変換部１２０から通信部１４０の電源端子および他の構成要素の電源端子に供給される。通信部１４０は、出力電圧Ｖｏｕｔ１を電源電圧として動作する。外部機器２００のタイプが第１のタイプである場合、出力電圧Ｖｏｕｔ１は例えば５Ｖ（または約５Ｖ）である。外部機器２００のタイプが第２のタイプである場合、出力電圧Ｖｏｕｔ１は例えば３Ｖ（または約３Ｖ）である。このように、電圧変換部１２０で生成される出力電圧Ｖｏｕｔ１のレベルも、外部機器２００のタイプに応じて異なる。
【００２３】
抵抗１３０および１３１は、出力電圧Ｖｏｕｔ１をフィードバック電圧Ｖｆｂ１に分圧するための抵抗である。抵抗１３０および１３１により生成されたフィードバック電圧Ｖｆｂ１は、比較器１２１の第１の入力端子に供給される。このように、抵抗１３０および１３１は、出力電圧Ｖｏｕｔ１からフィードバック電圧Ｖｆｂ１を生成するフィードバック電圧生成部として動作する。
【００２４】
基準電圧生成部１２２は、基準電圧Ｖｒ１を生成する。基準電圧生成部１２２で生成された基準電圧Ｖｒ１は、選択部１２３の第１の入力端子に供給される。基準電圧生成部１２２は、制御部１６０からの制御信号により基準電圧Ｖｒ１のレベルを変更することができる。
【００２５】
抵抗１５０および１５１は、出力電圧Ｖｏｕｔ２を基準電圧Ｖｒ３に分圧するための抵抗である。抵抗１５０および１５１により生成された基準電圧Ｖｒ３は、選択部１２３の第２の入力端子に供給される。このように、抵抗１５０および１５１は、出力電圧Ｖｏｕｔ２から基準電圧Ｖｒ３を生成する基準電圧生成部として動作する。
【００２６】
選択部１２３は、制御部１６０からの制御信号により、基準電圧Ｖｒ１か基準電圧Ｖｒ３を選択する。選択部１２３により選択された基準電圧Ｖｒ１または基準電圧Ｖｒ３は、比較器１２１の第２の入力端子に供給される。
【００２７】
比較器１２１は、フィードバック電圧Ｖｆｂ１と、基準電圧Ｖｒ１または基準電圧Ｖｒ３とを比較し、比較結果を出力する。電圧変換部１２０は、比較器１２１が出力する比較結果により、電圧変換部１２０で生成される出力電圧Ｖｏｕｔ１のレベルを調整する。このように構成することにより、外部機器２００が電子機器１００に接続されている場合、電圧変換部１２０は、出力電圧Ｖｏｕｔ１のレベルが出力電圧Ｖｏｕｔ２のレベルと同程度になるように、出力電圧Ｖｏｕｔ１のレベルを調整することができる。
【００２８】
制御部１６０は、１つまたは複数のプロセッサと、１つまたは複数のメモリとを有する。１つまたは複数のプロセッサと、１つまたは複数のメモリとは、電源１１０からの電力により動作する。１つまたは複数のメモリには、１つまたは複数のプロセッサで実行されるプログラムが記憶されている。１つまたは複数のプロセッサは、ハードウェアで構成される。制御部１６０は、１つまたは複数のプロセッサと、１つまたは複数のメモリと、１つまたは複数のメモリに記憶されているプログラムとにより、電子機器１００が有する全ての構成要素を制御できるように構成されている。１つまたは複数のプロセッサは、例えば、シリアル通信により、電子機器１００内の各構成要素と通信を行う。制御部１６０から電子機器１００内の各構成要素に供給される制御信号は、１つまたは複数のプロセッサによって生成される。例えば、選択部１２３を制御するための制御信号は、１つまたは複数のプロセッサにより生成され、制御部１６０から選択部１２３に供給される。例えば、基準電圧生成部１２２を制御するための制御信号は、１つまたは複数のプロセッサにより生成され、制御部１６０から基準電圧生成部１２２に供給される。
【００２９】
実施形態１では、以下の式（１）に示す条件を満たすように、抵抗１３０、抵抗１３１、抵抗１５０および抵抗１５１の抵抗値を決定する。式（１）に示すように、抵抗１３０と抵抗１３１の分圧比と、抵抗１５０と抵抗１５１の分圧比とは、等しくなる。
抵抗１３０の抵抗値×抵抗１５１の抵抗値
＝抵抗１３１の抵抗値×抵抗１５０の抵抗値      ・・・（１）
【００３０】
次に、図２のフローチャートを参照して、電子機器１００の動作例を説明する。図２のフローチャートは、例えば、電子機器１００が電源オン状態になったときに開始される。なお、図２を参照して説明する処理は、制御部１６０の１つまたは複数のプロセッサが制御部１６０の１つまたは複数のメモリに記憶されているプログラムを実行することにより制御される。
【００３１】
ステップＳ２０１において、制御部１６０は、外部機器２００が電子機器１００に接続されているか否かを判定する。このとき、制御部１６０は、電子機器１００と外部機器２００とを接続する接続端子の一つの抵抗値により、電子機器１００に接続されている外部機器２００のタイプを判定してもよい。外部機器２００が電子機器１００に接続されていない場合、制御部１６０は、ステップＳ２０２に進む（Ｓ２０１でＮＯ）。外部機器２００が電子機器１００に接続されている場合、制御部１６０は、ステップＳ２０３に進む（Ｓ２０１でＹＥＳ）。
【００３２】
ステップＳ２０２において、制御部１６０は、基準電圧Ｖｒ１を選択することを示す制御信号を選択部１２３に供給する。選択部１２３は、この制御信号により基準電圧Ｖｒ１を選択する。選択部１２３により選択された基準電圧Ｖｒ１は、比較器１２１の第２の入力端子に供給される。比較器１２１は、フィードバック電圧Ｖｆｂ１と基準電圧Ｖｒ１とを比較し、比較結果を出力する。例えば、電圧変換部１２０は、フィードバック電圧Ｖｆｂ１と基準電圧Ｖｒ１との比較結果により、電圧変換部１２０で生成される出力電圧Ｖｏｕｔ１のレベルが５Ｖ（または約５Ｖ）になるように調整する。
【００３３】
ステップＳ２０３において、制御部１６０は、基準電圧Ｖｒ３を選択することを示す制御信号を選択部１２３に供給する。選択部１２３は、この制御信号により基準電圧Ｖｒ３を選択する。選択部１２３により選択された基準電圧Ｖｒ３は、比較器１２１の第２の入力端子に供給される。比較器１２１は、フィードバック電圧Ｖｆｂ１と基準電圧Ｖｒ３とを比較し、比較結果を出力する。電圧変換部１２０は、比較器１２１が出力する比較結果により、電圧変換部１２０で生成される出力電圧Ｖｏｕｔ１のレベルを調整する。これにより、電圧変換部１２０は、出力電圧Ｖｏｕｔ１のレベルが出力電圧Ｖｏｕｔ２のレベルと同じにまたは同程度になるように出力電圧Ｖｏｕｔ１のレベルを調整することができる。例えば、外部機器２００のタイプが第１のタイプである場合は、出力電圧Ｖｏｕｔ２のレベルは例えば５Ｖ（または約５Ｖ）であるので出力電圧Ｖｏｕｔ１のレベルも５Ｖ（または約５Ｖ）に調整される。外部機器２００のタイプが第２のタイプである場合は、出力電圧Ｖｏｕｔ２のレベルは例えば３Ｖ（または約３Ｖ）であるので出力電圧Ｖｏｕｔ１のレベルも３Ｖ（または約３Ｖ）に調整される。
【００３４】
このように、実施形態１によれば、電圧変換部１２０は、電圧Ｖｆｂ１と基準電圧Ｖｒ３との比較結果により、出力電圧Ｖｏｕｔ１のレベルが出力電圧Ｖｏｕｔ２のレベルと同じにまたは同程度になるように出力電圧Ｖｏｕｔ１のレベルを調整することができる。これにより、通信部１４０の電源端子に供給される電圧のレベルと通信部２３０の電源端子に供給される電圧のレベルとが同じにまたは同程度になる。その結果、通信部１４０が送信または受信可能な信号の電圧範囲と通信部２３０が送信または受信可能な信号の電圧範囲とが一致するため、電子機器１００と外部機器２００とが通信不能に陥る事態を回避することができる。
【００３５】
なお、実施形態１では、選択部１２３の第２の入力端子に基準電圧Ｖｒ３を供給したが、基準電圧Ｖｒ３は制御部１６０に供給してもよい。この場合、基準電圧Ｖｒ３は、制御部１６０が有するプロセッサによって検出され、基準電圧Ｖｒ３のレベルを示す信号が選択部１２３の第２の入力端子に供給されることになる。
【００３６】
［実施形態２］
次に、実施形態２について説明する。実施形態１では、電圧変換部２１０の出力端子と抵抗１５０との間の経路が短く、電圧変換部２１０の出力端子と抵抗１５０との間の電圧降下の影響を考慮することを要しない場合を説明した。これに対し、実施形態２では、電圧変換部２１０の出力端子と抵抗１５０との間の経路が長く、電圧変換部２１０の出力端子と抵抗１５０との間の電圧降下の影響を考慮することを要する場合を説明する。実施形態２では、実施形態１と異なる部分のみを説明する。
【００３７】
図３は、実施形態２における通信システムの構成の例を説明するためのブロック図である。図３に示す構成要素のうち、図１に示す構成要素と同様の構成要素については、同一の符号を付し、それらの説明を省略する。
【００３８】
実施形態２において、電子機器１００は、実施形態１と異なり、バッファ１７０をさらに有する。バッファ１７０は、電圧変換部２１０と抵抗１５０との間で発生する電圧降下を減らすために、電圧変換部２１０の出力電圧Ｖｏｕｔ２を増幅する増幅回路として動作する。制御部１６０内の１つまたは複数のプロセッサは、例えば、シリアル通信により、バッファ１７０と通信を行う。バッファ１７０を制御するための制御信号は、１つまたは複数のプロセッサにより生成され、制御部１６０からバッファ１７０に供給される。
【００３９】
なお、電圧変換部２１０と抵抗１５０との間で発生する電圧降下の大きさは、一定の大きさであっても、外部機器２００のタイプに応じて変化する大きさであってもよい。電圧変換部２１０と抵抗１５０との間で発生する電圧降下の大きさが外部機器２００のタイプに応じて変化する場合は、制御部１６０がステップＳ２０１で外部機器２００のタイプを検出し、検出したタイプに応じた値を示す制御信号をバッファ１７０に通知する。そして、バッファ１７０は、制御部１６０からの制御信号に応じて、電圧変換部２１０の出力電圧Ｖｏｕｔ２を増幅する。
【００４０】
このように、実施形態２によれば、電圧変換部２１０と抵抗１５０との間で大きな電圧降下が発生する場合であっても、その電圧降下を考慮して電圧変換部２１０の出力電圧Ｖｏｕｔ２を増幅することができる。そして、電圧変換部１２０は、フィードバック電圧Ｖｆｂ１と基準電圧Ｖｒ３との比較結果により、出力電圧Ｖｏｕｔ１のレベルが出力電圧Ｖｏｕｔ２のレベルと同じにまたは同程度になるように出力電圧Ｖｏｕｔ１のレベルを調整することができる。これにより、通信部１４０の電源端子に供給される電圧のレベルと通信部２３０の電源端子に供給される電圧のレベルとが同じにまたは同程度になる。その結果、通信部１４０が送信または受信可能な信号の電圧範囲と通信部２３０が送信または受信可能な信号の電圧範囲とが一致するため、電子機器１００と外部機器２００とが通信不能に陥る事態を回避することができる。
【００４１】
［実施形態３］
実施形態１および２で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、マイクロプロセッサなどがプログラムを用いて実現することもできる。以下、実施形態３では、パーソナルコンピュータ、マイクロコンピュータ、ＣＰＵ（ｃｅｎｔｒａｌ  ｐｒｏｃｅｓｓｉｎｇ  ｕｎｉｔ）、マイクロプロセッサなどを「コンピュータＸ」と呼ぶ。また、実施形態３では、コンピュータＸを制御するためのプログラムであって、実施形態１および２で説明した様々な機能、処理または方法を実現するためのプログラムを「プログラムＹ」と呼ぶ。
【００４２】
実施形態１および２で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態３におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも一つを含む。実施形態３におけるコンピュータ読み取り可能な記憶媒体は、ｎｏｎ−ｔｒａｎｓｉｔｏｒｙな記憶媒体である。
【符号の説明】
【００４３】
１００  電子機器（第１の電子機器、第１の通信装置）
２００  外部機器（第２の電子機器、第２の通信装置）
３００  通信ライン
【図１】
2018143077.tif 000003
【図２】
2018143077.tif 000004
【図３】
2018143077.tif 000005